(57)【要約】【課題】吸着層の剥離を防止して、吸着機能の持続性を向上させる。【解決手段】調湿モジュール（20）は、熱歪部材（21）と、アクチュエータ（22）と、吸着層（35）が担持された吸着体（30）とを備えている。この調湿モジュール（20）では、アクチュエータ（22）によって熱歪部材（21）に引張力が付与されると、該熱歪部材（21）が吸着体（30）の本体部（31）に摺接（接触）しながら伸長する。【選択図】図２
2014040994.tif 000002
【特許請求の範囲】
【請求項１】
空気中の水分の吸着と脱離を行う調湿モジュールであって、
張力の付与により発熱し且つ張力の解除により吸熱する熱歪材料からなる熱歪部材（21）と、
該熱歪部材（21）に張力を付与するアクチュエータ（22）と、
該アクチュエータ（22）によって張力が付与される方向に上記熱歪部材（21）が摺接する本体部（31）と該本体部（31）の表面に担持された水分の吸着層（35）とを有する吸着体（30）とを備えている
ことを特徴とする調湿モジュール。
【請求項２】
請求項１において、
上記吸着体（30）の本体部（31）には、上記アクチュエータ（22）によって張力が付与される方向に上記熱歪部材（21）が挿入される挿入孔（32）が形成されている
ことを特徴とする調湿モジュール。
【請求項３】
請求項２において、
上記吸着体（30）の本体部（31）には、上記挿入孔（32）が複数形成されている
ことを特徴とする調湿モジュール。
【請求項４】
請求項１において、
上記吸着体（30）の本体部（31）は、複数のフィン（31d）を有している
ことを特徴とする調湿モジュール。
【請求項５】
請求項１乃至４の何れか1項において、
上記熱歪部材（21）は、熱歪材料からなる複数の線状体（21a）を束ねて構成されている
ことを特徴とする調湿モジュール。
【請求項６】
空気中の水分の吸着と脱離を行う請求項１乃至５の何れか１項に記載の調湿モジュール（20）と、
空気を上記調湿モジュール（20）へ導入し且つ上記調湿モジュール（20）で処理された空気を室内へ供給する空気通路（P）とを備えている
ことを特徴とする調湿装置。
【発明の詳細な説明】
【技術分野】
【０００１】
本発明は、空気中の水分の吸着と脱離を行う調湿モジュールと、この調湿モジュールを用いた調湿装置に関し、特に、吸着機能の持続性向上に係るものである。
【背景技術】
【０００２】
従来より、空気中の水分の吸着と脱離を行って室内の湿度を調節する調湿装置が知られている。例えば、特許文献１に開示の調湿装置は、吸着層が担持された２つの吸着熱交換器を有する冷媒回路を備えている。この調湿装置では、冷凍サイクルを行うと、一方の吸着熱交換器が蒸発器として機能し、他方の吸着熱交換器が凝縮器として機能する。蒸発器となる吸着熱交換器では、吸着層が冷媒によって冷却されて、該吸着層に空気中の水分が吸着される吸湿動作が行われる。一方、凝縮器となる吸着熱交換器では、吸着層が冷媒によって加熱されて、該吸着層から水分が空気中へと放出される放湿動作が行われる。調湿装置では、除湿運転を行うと、吸湿動作によって除湿された空気が室内へと供給され、加湿運転を行うと、放湿動作によって加湿された空気が室内へと供給される。
【０００３】
また、特許文献２，３には、引張力を付与して伸長させると発熱し、該引張力の付与を解除して収縮させると吸熱するゴム等の弾性体を用いたヒートポンプ装置が開示されている。
【先行技術文献】
【特許文献】
【０００４】
【特許文献１】特開２００５−１１４２９１号公報
【特許文献２】特開平３−２８６９７５号公報
【特許文献３】特開平１０−２５９９６５号公報
【発明の概要】
【発明が解決しようとする課題】
【０００５】
ところで、特許文献１の調湿装置では、吸着層を加熱冷却する手段として、冷媒の代わりに上記弾性体を用いることが考えられる。その場合、弾性体の表面に吸着層を担持した構造が考えられる。
【０００６】
しかし、弾性体の表面に吸着層を担持した調湿装置では、弾性体に引張力を付与して弾性体を伸縮させると、吸着層が剥離してしまう虞があり、吸着機能を持続させることが困難であるという問題があった。
【０００７】
本発明は、このような問題点に鑑みてなされたものであり、その目的は、引張力を付与することで発熱し該引張力の付与を解除することで吸熱する熱歪部材（後述）を用いて空気を調湿する調湿モジュール、及びその調湿モジュールを用いた調湿装置において、吸着層の剥離を防止して、吸着機能の持続性を向上させることにある。
【課題を解決するための手段】
【０００８】
第１の発明は、空気中の水分の吸着と脱離を行う調湿モジュールである。そして、第１の発明は、張力の付与により発熱し且つ張力の解除により吸熱する熱歪材料からなる熱歪部材（21）と、該熱歪部材（21）に張力を付与するアクチュエータ（22）と、該アクチュエータ（22）によって張力が付与される方向に上記熱歪部材（21）が摺接する本体部（31）と該本体部（31）の表面に担持された水分の吸着層（35）とを有する吸着体（30）とを備えている。
【０００９】
上記第１の発明では、熱歪部材（21）に張力が付与されると、熱歪部材（21）は吸着体（30）の本体部（31）に摺接（接触）しながら伸長して発熱する。そのため、熱歪部材（21）から本体部（31）を介して吸着層（35）へと熱が移動して、吸着層（35）が加熱され、上記吸着層（35）から水分が空気中へ放出される。
【００１０】
一方、熱歪部材（21）への張力の付与が解除されると、熱歪部材（21）は吸着体（30）の本体部（31）に摺接（接触）しながら収縮して吸熱する。そのため、吸着層（35）から本体部（31）を介して熱歪部材（21）へと熱が移動して、吸着層（35）が冷却され、上記吸着層（35）に空気中の水分が吸着される。
【００１１】
上記第１の発明では、吸着層（35）が吸着体（30）の本体部（31）に担持されている。つまり、吸着層（35）が熱歪部材（21）に直接担持されていないため、熱歪部材（21）が伸縮しても、それに伴って、吸着層（35）に伸縮応力が作用することがない。
【００１２】
第２の発明は、上記第１の発明において、上記吸着体（30）の本体部（31）に、上記アクチュエータ（22）によって張力が付与される方向に上記熱歪部材（21）が挿入される挿入孔（32）が形成されている。
【００１３】
上記第２の発明では、熱歪部材（21）が、吸着体（30）の本体部（31）の挿入孔（32）に挿入されて本体部（31）に接触している。そのため、熱歪部材（21）と本体部（31）との接触状態が安定し、熱歪部材（21）と本体部（31）との間の熱伝達が確実に行われる。
【００１４】
第３の発明は、上記第２の発明において、上記吸着体（30）の本体部（31）には、上記挿入孔（32）が複数形成されている。
【００１５】
上記第３の発明では、複数の熱歪部材（21）が、吸着体（30）の本体部（31）の挿入孔（32）に挿入されている。そのため、熱歪部材（21）全体の発熱量（吸熱量）が大きくなって、吸着層（35）が十分に加熱（冷却）され、吸着層（35）における放出水分量（吸着水分量）が多くなる。
【００１６】
第４の発明は、上記第１の発明において、上記吸着体（30）の本体部（31）は、複数のフィン（31d）を有している。
【００１７】
上記第４の発明では、表面に吸着層（35）が担持されたフィン（31d）が複数設けられている。そのため、吸着層（35）の担持面積が大きくなり、吸着層（35）と空気とが接触し易くなる。
【００１８】
第５の発明は、上記第１乃至第４の発明の何れかにおいて、上記熱歪部材（21）は、熱歪材料からなる複数の線状体（21a）を束ねて構成されている。
【００１９】
上記第５の発明では、複数の線状体（21a）により熱歪部材（21）を構成しているので、作製が容易になる。
【００２０】
第６の発明は、空気中の水分の吸着と脱離を行う請求項１乃至５の何れか１つに記載の調湿モジュール（20）と、空気を上記調湿モジュール（20）へ導入し該調湿モジュール（20）で処理された空気を室内へ供給する空気通路（P）とを備えた調湿装置（1）である。
【００２１】
上記第６の発明の調湿装置（1）では、空気通路（P）を介して、空気が上記調湿モジュール（20）へ導入され、該調湿モジュール（20）で調湿された空気が室内へと供給される。
【発明の効果】
【００２２】
本発明によれば、吸着層（35）が担持された吸着体（30）を設けるようにした。そして、この吸着体（30）の本体部（31）に、熱歪部材（21）を摺接（接触）させながら伸縮させるようにした。こうすることで、熱歪部材（21）から本体部（31）を介して吸着層（35）へ伝熱して該吸着層（35）で空気中の水分の吸着と脱離を行いつつ、熱歪部材（21）の伸縮によって吸着層（35）が剥離するのを防ぐことができる。その結果、調湿モジュール（20）の吸着機能の持続性を向上させることができる。
【００２３】
第２の発明によれば、吸着体（30）の本体部（31）の挿入孔（32）に熱歪部材（21）を挿入して摺接させるようにした。これにより、熱歪部材（21）と本体部（31）との間の熱伝達を確実に行うことができ、吸着層（35）の吸着能力を確実に発揮させることができる。
【００２４】
第３の発明によれば、吸着体（30）の本体部（31）の複数の挿入孔（32）に、熱歪部材（21）をそれぞれ挿入するようにした。こうすることで、熱歪部材（21）全体の発熱量（吸熱量）を大きくして、吸着層（35）における放出水分量（吸着水分量）を増加させることができ、調湿モジュール（20）の調湿能力を高めることができる。
【００２５】
第４の発明によれば、吸着体（30）の本体部（31）に、複数のフィン（31d）を設けるようにした。こうすることで、吸着層（35）の担持面積を大きくして、吸着層（35）と空気とを接触し易くすることができ、調湿モジュール（20）の調湿能力を高めることができる。
【００２６】
第５の発明によれば、複数の線状体（21a）により熱歪部材（21）を構成しているので、作製を容易にすることができる。
【００２７】
第６の発明によれば、調湿装置（1）において、空気を上記調湿モジュール（20）へ導入し、該調湿モジュール（20）で調湿された空気を室内へ供給するようにした。これにより、調湿装置（1）の吸着機能の持続性を向上させることができる。
【図面の簡単な説明】
【００２８】
【図１】図１は、実施形態１に係る調湿装置を室内に設置した状態を示す概略図であり、図１（Ａ）が放湿動作の状態を示し、図１（Ｂ）が吸湿動作の状態を示している。
【図２】図２は、実施形態１に係る調湿モジュールの概略構成図である。
【図３】図３は、熱歪部材のＴ−Ｓ線図である。
【図４】図４は、実施形態１に係る調湿モジュールの要部拡大図である。
【図５】図５（Ａ）は、実施形態１に係る調湿モジュールの放湿動作の状態を示し、図５（Ｂ）はその調湿モジュールの吸湿動作の状態を示している。
【図６】図６は、実施形態１の変形例１に係る調湿装置を室内に設置した状態を示す概略図であり、図６（Ａ）が第１動作の状態を示し、図６（Ｂ）が第２動作の状態を示している。
【図７】図７は、実施形態１のその他の変形例に係る調湿モジュールの要部拡大図である。
【図８】図８は、実施形態１のその他の変形例に係る調湿モジュールの要部拡大図である。
【図９】図９は、実施形態２に係る調湿装置を室内に設置した状態を示す概略図であり、図９（Ａ）が第１動作の状態を示し、図９（Ｂ）が第２動作の状態を示している。
【図１０】図１０は、実施形態２に係る調湿モジュールの概略構成図である。
【図１１】図１１は、実施形態２に係る調湿モジュールの要部拡大図である。
【図１２】図１２（Ａ）は、実施形態２に係る調湿モジュールの第１動作の状態を示し、図１２（Ｂ）はその調湿モジュールの第２動作の状態を示している。
【図１３】図１３は、実施形態２の変形例に係る調湿モジュールの要部拡大図である。
【図１４】図１４は、実施形態３に係る調湿モジュールの要部拡大図である。
【発明を実施するための形態】
【００２９】
以下、本発明の実施形態について図面を参照しながら説明する。なお、以下の実施形態は、本質的に好ましい例示であって、本発明、その適用物、あるいはその用途の範囲を制限することを意図するものではない。
【００３０】
《発明の実施形態１》
〈全体構成〉
本実施形態の調湿装置（1）は、建物（2）の室内（3）に設置されて、室内（3）を調湿（この場合、除湿）するものである。図１に示すように、調湿装置（1）は、ケーシング（10）と、調湿モジュール（20）と、ファン（50）と、制御部（55）とを備えている。
【００３１】
ケーシング（10）の内部には、室内（3）と室外とを連通させる空気通路（P）が形成されている。空気通路（P）には、調湿モジュール（20）とファン（50）とが配置されている。ファン（50）は、室内空気（RA）または室外空気（OA）を調湿モジュール（20）へ送るものである。このファン（50）は、制御部（55）でその回転方向を切り換えることで、空気通路（P）における空気の流通方向を切り換えるように構成されている。
【００３２】
〈調湿モジュールの構成〉
図２に示すように、調湿モジュール（20）は、複数の熱歪部材（21）と、アクチュエータ（22）と、複数の吸着体（30）とを備えている。
【００３３】
熱歪部材（21）は、張力である引張力を付加することで発熱し、該引張力の付加を解除することで吸熱する熱歪材料（Thermoelastic）によって構成されている。熱歪材料としては、例えば、チタン（Ｔｉ）／ニッケル（Ｎｉ）系の合金（例えば形状記憶合金）やエラストマ樹脂が挙げられる。
【００３４】
チタン（Ｔｉ）／ニッケル（Ｎｉ）系の合金の場合、図３に示すように、熱歪部材（21）に引張力をかけると、熱歪部材（21）を構成する熱歪材料が母相（オーステナイト相）からマルテンサイト相へと相変化することで、エントロピーが減少し、その分、発熱して熱歪部材（21）自身が加熱される（IからII）。熱歪部材（21）に引張力をかけたまま、該熱歪部材（21）を加熱対象物に接触させると、熱歪部材（21）の熱が加熱対象物に伝わる（IIからIII）。こうすることで、熱歪部材（21）の温度は下がる。そして、熱歪部材（21）にかけられている引張力を除去（解除）すると、マルテンサイト相から母相（オーステナイト相）に変化する（IIIからIV）。このとき、熱歪部材（21）が断熱されていると、熱歪部材（21）の温度が下がる。温度が下がった熱歪部材（21）に冷却対象物を接触させると、該冷却対象物の熱が熱歪部材（21）に伝わる（IVからI）。
【００３５】
図２に示すように、各熱歪部材（21）は、上下方向に延びる線材であり、所定の間隔で横方向に配列されている。各熱歪部材（21）は、下端が固定部材（28）に接続され、上端がアクチュエータ（22）に接続されている。
【００３６】
アクチュエータ（22）は、熱歪部材（21）に引張力を付与する（この場合、熱歪部材（21）を上向きに引張る）ものである。このアクチュエータ（22）は、制御部（55）に接続され、該制御部（55）によって熱歪部材（21）への引張力の付与と解除とが制御される。
【００３７】
吸着体（30）は、空気中の水分の吸着と脱離を行うものであり、図２及び図４に示すように、本体部（31）と吸着層（35）とを有している。
【００３８】
本体部（31）は、略長方形状の金属製の板状部材であって、固定部材（28）とアクチュエータ（22）との間において上下方向に延び、互いの面同士が所定の間隔で対向するように配列されている。
【００３９】
各本体部（31）は、厚さ方向に重なり合う２つの板材（31a,31b）によって構成されている。この２つの板材（31a,31b）の間には、挿入孔（32）が上下方向に貫通形成され、該挿入孔（32）には、熱歪部材（21）が挿入されている。この挿入孔（32）は、挿入された熱歪部材（21）に引張力が付与されると、その熱歪部材（21）が挿入孔（32）に上向き（引張力が付与される方向）に摺接しながら伸びるように形成されている。
【００４０】
吸着層（35）は、本体部（31）の表面に担持されている。吸着層（35）は、空気中の水分の吸着と脱離が可能な材料で構成され、例えば、ゼオライト、シリカゲル、活性炭、親水性又は吸水性を有する有機高分子ポリマー系材料、カルボン酸基又はスルホン酸基を有するイオン交換樹脂系材料、感温性高分子等の機能性高分子材料で構成されている。
【００４１】
−運転動作−
本実施形態の調湿装置（1）の運転動作について説明する。この調湿装置（1）では、室内（3）を除湿するための除湿運転が行われる。除湿運転では、放湿動作と吸湿動作が所定の時間間隔で交互に行われる。
【００４２】
〈放湿動作〉
まず、放湿動作について、図１（Ａ）及び図５（Ａ）を参照しながら説明する。
【００４３】
放湿動作が開始すると、ファン（50）によって、室内空気（RA）が空気通路（P）へ流入して、調湿モジュール（20）へと送られる。この時、調湿モジュール（20）では、アクチュエータ（22）が駆動して、熱歪部材（21）に引張力が上向きに付与される。
【００４４】
熱歪部材（21）に引張力が付与されると、熱歪部材（21）は発熱して上向きに伸びる。この時、熱歪部材（21）は、吸着体（30）の本体部（31）の挿入孔（32）に摺接（接触）している。そのため、熱歪部材（21）の熱は、本体部（31）（挿入孔（32））を介して吸着層（35）へと移動し、吸着層（35）が加熱される。吸着層（35）が加熱されると、吸着層（35）から水分が脱離する。そして、吸着体（30）の間を通過する室内空気（RA）に水分が付与されて該空気が室外へ排出されると共に、吸着層（35）が再生される。
【００４５】
〈吸湿動作〉
次に、吸湿動作について、図１（Ｂ）及び図５（Ｂ）を参照しながら説明する。
【００４６】
吸湿動作が開始すると、ファン（50）によって、室外空気（OA）が空気通路（P）へ流入して、調湿モジュール（20）へと送られる。この時、調湿モジュール（20）では、熱歪部材（21）に付与されていた引張力が解除される。
【００４７】
熱歪部材（21）に付与されていた引張力が解除されると、熱歪部材（21）は吸熱して下向きに縮む。この時、熱歪部材（21）は、吸着体（30）の本体部（31）の挿入孔（32）に摺接（接触）している。そのため、吸着層（35）の熱は、本体部（31）（挿入孔（32））を介して熱歪部材（21）へと移動し、吸着層（35）が冷却される。吸着層（35）が冷却されると、吸着体（30）の間を通過する室外空気（OA）の水分が吸着層（35）に吸着される。そして、吸着層（35）に水分が奪われて除湿された空気は、室内（3）へと供給される。
【００４８】
−実施形態１の効果−
実施形態１によれば、吸着層（35）が担持された吸着体（30）を設けるようにした。そして、この吸着体（30）の本体部（31）に熱歪部材（21）を摺接（接触）させながら伸縮させるようにした。こうすることで、熱歪部材（21）から本体部（31）を介して吸着層（35）へ伝熱して該吸着層（35）で空気中の水分の吸着と脱離を行いつつ、熱歪部材（21）の伸縮によって吸着層（35）が剥離するのを防ぐことができる。その結果、調湿モジュール（20）の吸着機能の持続性を向上させることができる。
【００４９】
また、実施形態１によれば、熱歪部材（21）を吸着体（30）の本体部（31）の挿入孔（32）に挿入して摺接させるようにした。これにより、熱歪部材（21）と本体部（31）との接触状態を安定化させて、熱歪部材（21）と本体部（31）との間の熱伝達を確実に行うことができ、吸着層（35）の吸着能力を確実に発揮させることができる。
【００５０】
〈実施形態１の変形例１〉
実施形態１の調湿装置（1）には、調湿モジュール（20）によって空気を調湿する処理室が１つであるが、その形態に代えて、本変形例の調湿装置（1）には、図６に示すように、２つの処理室（11,12）が形成されている。
【００５１】
具体的に、本変形例の調湿装置（1）には、仕切板（13）によって、上下２つの処理室（上側処理室（11）と下側処理室（12））が形成されている。各処理室（11,12）内には、空気通路（P）が形成され、各空気通路（P）には、調湿モジュール（20）とファン（50）とが配置されている。
【００５２】
−運転動作−
本変形例では、除湿運転中、上側処理室（11）で吸湿動作し下側処理室（12）で放湿動作する第１動作（図６（Ａ）の状態）と、上側処理室（11）で放湿動作し下側処理室（12）で吸湿動作する第２動作（図６（Ｂ）の状態）とが、所定の時間間隔で交互に行われる。
【００５３】
第１動作中、吸湿動作が行われる上側処理室（11）では、室外空気（OA）が調湿モジュール（20）へ送られる。この時、調湿モジュール（20）では、熱歪部材（21）への引張力の付与が解除されることによって熱歪部材（21）が吸熱し、吸着層（35）が冷却され、該吸着層（35）に室外空気（OA）の水分が吸着する。そして、吸着層（35）に水分が奪われて除湿された空気は、室内（3）へと供給される。
【００５４】
一方、放湿動作が行われる下側処理室（12）では、室内空気（RA）が調湿モジュール（20）へ送られる。この時、調湿モジュール（20）では、熱歪部材（21）に引張力が付与されることによって熱歪部材（21）が発熱し、吸着層（35）が加熱され、該吸着層（35）から水分が脱離する。そして、その水分が室内空気（RA）に付与されて室外へ排出されると共に、吸着層（35）が再生される。
【００５５】
第２動作中、放湿動作が行われる上側処理室（11）では、室内空気（RA）が調湿モジュール（20）へ送られる。この時、調湿モジュール（20）では、熱歪部材（21）に引張力が付与されることによって熱歪部材（21）が発熱し、吸着層（35）が加熱され、該吸着層（35）から水分が脱離する。そして、その水分が室内空気（RA）に付与されて室外へ排出されると共に、吸着層（35）が再生される。
【００５６】
一方、吸湿動作が行われる下側処理室（12）では、室外空気（OA）が調湿モジュール（20）へ送られる。この時、調湿モジュール（20）では、熱歪部材（21）への引張力の付与が解除されることによって熱歪部材（21）が吸熱し、吸着層（35）が冷却され、該吸着層（35）に室外空気（OA）の水分が吸着する。そして、吸着層（35）に水分が奪われて除湿された空気は、室内（3）へと供給される。
【００５７】
このように本変形例では、第１動作と第２動作を交互に行って、一方の処理室（11,12）で吸着層（35）を再生しつつ、他方の処理室（11,12）で室内（3）へ供給する空気を吸着層（35）によって除湿するため、室内（3）を連続的に除湿することができる。
【００５８】
〈実施形態１のその他の変形例〉
上記実施形態１では、熱歪部材（21）が線状に形成されている。しかし、熱歪部材（21）は、引張力が付加されて伸びるものであればよく、例えば、図７に示すように、短冊状に形成してもよい。
【００５９】
また、上記実施形態１では、各吸着体（30）に熱歪部材（21）が１つずつ挿入されている。しかし、図８に示すように、各吸着体（30）に熱歪部材（21）を複数挿入するようにしてもよい。こうすることで、熱歪部材（21）全体の発熱量（吸熱量）を大きくして、吸着層（35）における放出水分量（吸着水分量）を増加させることができ、調湿モジュール（20）の調湿能力を高めることができる。
【００６０】
《発明の実施形態２》
実施形態２の調湿装置（1）は、上記実施形態１の変形例１の調湿装置（1）において、調湿モジュール（20）の数と形態を変更したものである。つまり、上記実施形態１の変形例１の調湿装置（1）には、２つの処理室（11,12）にそれぞれ調湿モジュール（20）が設けられていたが、実施形態２の調湿装置（1）には、図９に示すように、２つの処理室（11,12）に跨って１つの調湿モジュール（20）が設けられている。
【００６１】
具体的に、実施形態２の調湿モジュール（20）は、図１０に示すように、アクチュエータ（22）と、該アクチュエータ（22）の上側に設けられ上側処理室（11）に収容された第１調湿部（20a）と、該アクチュエータ（22）の下側に設けられ下側処理室（12）に収容された第２調湿部（20b）とを備えている。
【００６２】
アクチュエータ（22）は、第１調湿部（20a）と第２調湿部（20b）の双方の熱歪部材（21）に引張力を付与するものである。このアクチュエータ（22）は、可動ハウジング（23）とカム（24）とを有している。
【００６３】
可動ハウジング（23）は、第１可動板（23a）と、第２可動板（23b）と、２つの連結板（23c,23d）とを有している。第１可動板（23a）、第２可動板（23b）、及び２つの連結板（23c,23d）は、それぞれ略長方形の板状に形成されている。第１可動板（23a）は、第１調湿部（20a）側（上側）に横配置され、第２可動板（23b）は、第１可動板（23a）と間隔を開けて第２調湿部（20b）側（下側）に横配置されている。２つの連結板（23c,23d）は、左右に間隔を開けて縦配置され、それぞれ第１可動板（23a）と第２可動板（23b）とに連結されている。
【００６４】
カム（24）は、可動ハウジング（23）の第１可動板（23a）、第２可動板（23b）、及び２つの連結板（23c,23d）に囲まれた空間に配置されている。カム（24）は、略円筒状に形成され、その軸が第１可動板（23a）、第２可動板（23b）、及び２つの連結板（23c,23d）に平行になるように配置されている。このカム（24）には、略半周において小径部（24a）が形成され、残り半周において小径部（24a）よりも径が大きい大径部（24b）が形成されている。このカム（24）は、軸中心に回転して、大径部（24b）が第１可動板（23a）に接触すると、可動ハウジング（23）全体を上側へ移動させる一方、大径部（24b）が第２可動板（23b）に接触すると、可動ハウジング（23）全体を下側へ移動させるように構成されている。
【００６５】
第１調湿部（20a）と第２調湿部（20b）とは、それぞれ、固定板（28a,28b）と熱歪部材（21）と吸着体（30）とを有している。
【００６６】
固定板（28a,28b）は、それぞれ略長方形の板状に形成されている。第１調湿部（20a）側の固定板（以下、第１固定板（28a）と言う）は、第１可動板（23a）の上方において該第１可動板（23a）に対向配置され、第２調湿部（20b）側の固定板（以下、第２固定板（28b）と言う）は、第２可動板（23b）の下方において該第２可動板（23b）に対向配置されている。
【００６７】
熱歪部材（21）は、各調湿部（20a,20b）において、一端が固定板（28a,28b）に接続されて上下方向に延び、他端が可動板（23a,23b）に接続されている。この熱歪部材（21）は、図１１に示すように、所定の間隔で横方向に配列されている。
【００６８】
吸着体（30）は、本体部（31）を構成する伝熱管（31c）及びフィン（31d）と、吸着層（35）とを有している。
【００６９】
伝熱管（31c）は、円筒状の金属管である。伝熱管（31c）は、上下方向に延びた状態で、所定の間隔で横方向に配列されている。各伝熱管（31c）には、熱歪部材（21）が挿入されている。各伝熱管（31c）は、挿入された熱歪部材（21）に引張力が付与されると、該熱歪部材（21）が伝熱管（31c）の内周面に摺接して伸びるように形成されている。尚、伝熱管（31c）の熱歪部材（21）が挿入される孔は、本発明の挿入孔（32）を構成している。
【００７０】
フィン（31d）は、金属板をプレス加工することによって形成された横長の板状フィンである。フィン（31d）は、横方向に延びた状態で上下に等間隔に配列され、交差する各伝熱管（31c）に接合されている。この場合、本体部（31）として、例えば、クロスフィン熱交換器を利用することができる。
【００７１】
吸着層（35）は、フィン（31d）及び伝熱管（31c）の表面に担持されている。
【００７２】
−運転動作−
実施形態２では、アクチュエータ（22）のカム（24）が回転することによって、上側処理室（11）で吸湿動作し下側処理室（12）で放湿動作する第１動作（図９（Ａ）及び図１２（Ａ）の状態）と、上側処理室（11）で放湿動作し下側処理室（12）で吸湿動作する第２動作（図９（Ｂ）及び図１２（Ｂ）の状態）とが交互に行われる。
【００７３】
〈第１動作〉
第１動作は、図１２（Ａ）に示すように、カム（24）の大径部（24b）が、第１可動板（23a）に接触する間に行われる。カム（24）の大径部（24b）が第１可動板（23a）に接触すると、可動ハウジング（23）全体が上側へと移動し、上側の第１調湿部（20a）の熱歪部材（21）への引張力の付与が解除される一方、下側の第２調湿部（20b）の熱歪部材（21）へ引張力が付与される。
【００７４】
第１調湿部（20a）では、熱歪部材（21）への引張力の付与が解除されると、熱歪部材（21）は吸熱して上向きに縮む。この時、熱歪部材（21）は、伝熱管（31c）に摺接（接触）しているため、吸着層（35）の熱が、伝熱管（31c）とフィン（31d）を介して熱歪部材（21）へと移動して、吸着層（35）が冷却される。吸着層（35）が冷却されると、フィン（31d）の間を通過する室外空気（OA）の水分が吸着層（35）に吸着する。そして、吸着層（35）に水分が奪われて除湿された空気は、室内（3）へと供給される。
【００７５】
一方、第２調湿部（20b）では、熱歪部材（21）に引張力が付与されると、熱歪部材（21）は発熱して上向きに伸びる。この時、熱歪部材（21）は、伝熱管（31c）に摺接（接触）しているため、熱歪部材（21）の熱が、伝熱管（31c）とフィン（31d）を介して吸着層（35）へと移動して、吸着層（35）が加熱される。吸着層（35）が加熱されると、吸着層（35）から水分が脱離する。そして、その水分がフィン（31d）の間を通過する室内空気（RA）に付与されて室外へ排出されると共に、吸着層（35）が再生される。
【００７６】
〈第２動作〉
第２動作は、図１２（Ｂ）に示すように、カム（24）の大径部（24b）が、第２可動板（23b）に接触する間に行われる。カム（24）の大径部（24b）が第２可動板（23b）に接触すると、可動ハウジング（23）全体が下側へと移動し、上側の第１調湿部（20a）の熱歪部材（21）へ引張力が付与される一方、下側の第２調湿部（20b）の熱歪部材（21）への引張力の付与が解除される。
【００７７】
第１調湿部（20a）では、熱歪部材（21）に引張力が付与されると、熱歪部材（21）は発熱して下向きに伸びる。この時、熱歪部材（21）は、伝熱管（31c）に摺接（接触）しているため、熱歪部材（21）の熱が、伝熱管（31c）とフィン（31d）を介して吸着層（35）へと移動して、吸着層（35）が加熱される。吸着層（35）が加熱されると、吸着層（35）から水分が脱離する。そして、その水分がフィン（31d）の間を通過する室内空気（RA）に付与されて室外へ排出されると共に、吸着層（35）が再生される。
【００７８】
一方、第２調湿部（20b）では、熱歪部材（21）への引張力の付与が解除されると、熱歪部材（21）は吸熱して下向きに縮む。この時、熱歪部材（21）は、吸着体（30）の伝熱管（31c）に摺接（接触）しているため、吸着層（35）の熱が、伝熱管（31c）とフィン（31d）を介して熱歪部材（21）へと移動して、吸着層（35）が冷却される。吸着層（35）が冷却されると、フィン（31d）の間を通過する室外空気（OA）の水分が吸着層（35）に吸着する。そして、吸着層（35）に水分が奪われて除湿された空気は、室内（3）へと供給される。
【００７９】
このように、アクチュエータ（22）のカム（24）を回転させることによって、一方の処理室（11,12）で吸着層（35）を再生しつつ、他方の処理室（11,12）で室内（3）へ供給する空気を吸着層（35）によって除湿するため、室内（3）を連続的に除湿することができる。
【００８０】
−実施形態２の効果−
実施形態２によれば、調湿モジュール（20）を２つの処理室（11,12）に跨って配置するようにした。こうすることで、実施形態１の変形例１の２つのアクチュエータ（22）を１つにまとめることができ、調湿モジュール（20）をより簡素でコンパクトな構造にすることができる。
【００８１】
また、実施形態２によれば、吸着体（30）の一部として、複数のフィン（31d）を設けるようにした。こうすることで、吸着層（35）の担持面積を大きくして、吸着層（35）と空気とを接触し易くすることができ、調湿モジュール（20）の調湿能力を高めることができる。
【００８２】
〈実施形態２の変形例〉
上記実施形態２の調湿装置（1）には、円筒状の各伝熱管（31c）に熱歪部材（21）が１つずつ挿入されている。しかし、図１３に示すように、扁平状の各伝熱管（31c）を有する吸着体（30）に熱歪部材（21）を複数挿入するようにしても構わない。この場合、本体部（31）として、例えば、マイクロチャネル熱交換器を利用することができる。
【００８３】
〈実施形態３〉
本実施形態は、上記実施形態1が熱歪部材（21）を１本の線材により構成したが、図１４に示すように、上記熱歪部材（21）を複数の線状体（21a）により構成してもよい。
【００８４】
上記線状体（21a）は、熱歪材料により構成され、細いワイヤ状に形成されている。上記線状体（21a）は、複数本が束ねられ、１本の熱歪部材（21）を構成している。つまり、上記熱歪部材（21）は、複数の線状体（21a）によりなる熱歪材束を構成している。
【００８５】
上記熱歪部材（21）は、実施形態２（図１１参照）に示すように、吸着体（30）の伝熱管（31c）に挿入されている。つまり、複数の線状体（21a）が束ねられた状態で伝熱管（31c）に挿入されている。上記複数の線状体（21a）は、互いに密接した状態に束ねられ、上記複数の線状体（21a）のうち外周部に位置する線状体（21a）が上記伝熱管（31c）の内周面に密接している。
【００８６】
上記吸着体（30）は、実施形態２と同様に、本体部（31）を構成する伝熱管（31c）及びフィン（31d）と吸着層（35）とを有している。
【００８７】
その他の構成、作用及び効果は、実施形態１と同様である。また、複数の線状体（21a）の束である熱歪部材（21）は、実施形態１（図４参照）およびその変形例の吸着体（30）に適用してもよく、実施形態2の変形例の吸着体（30）に適用してもよい。
【００８８】
また、上記伝熱管（31c）の内部に充填材を設けて線状体（21a）の熱移動を向上させるようにしてもよい。
【００８９】
《その他の実施形態》
上記実施形態の調湿装置（1）は、吸湿動作によって室外空気（OA）を除湿して室内（3）へ供給し、放湿動作によって調湿モジュール（20）を再生する除湿専用機である。しかし、調湿装置（1）は、放湿動作によって室外空気（OA）を加湿して室内（3）へ供給し、吸湿動作によって調湿モジュール（20）を再生する加湿専用機でもよい。さらに、調湿装置（1）は、加湿と除湿の両方が可能なものでもよい。
【産業上の利用可能性】
【００９０】
本発明は、水分の吸着と脱離を行う調湿モジュールと、この調湿モジュールを用いて室内を調湿する調湿装置について有用である。
【符号の説明】
【００９１】
１        調湿装置
２０      調湿モジュール
２１      熱歪部材
２１ａ    線状体
２２      アクチュエータ
３０      吸着体
３１      本体部
３１ｄ    フィン
３２      挿入孔
３５      吸着層
【図１】
2014040994.tif 000003
【図２】
2014040994.tif 000004
【図３】
2014040994.tif 000005
【図４】
2014040994.tif 000006
【図５】
2014040994.tif 000007
【図６】
2014040994.tif 000008
【図７】
2014040994.tif 000009
【図８】
2014040994.tif 000010
【図９】
2014040994.tif 000011
【図１０】
2014040994.tif 000012
【図１１】
2014040994.tif 000013
【図１２】
2014040994.tif 000014
【図１３】
2014040994.tif 000015
【図１４】
2014040994.tif 000016